(57)【要約】【課題】文書情報の一覧の一部が表示画面に表示されている際に、表示されている領域の表示位置を指定するための操作部の表示に必要な領域を、従来に比べて、減少する文書表示プログラム及び情報処理装置を提供する。【解決手段】端末１は、文書の一覧表示のうちの一部のページを表示する文書一覧表示手段１０１と、文書の一覧表示のページ変更を開始する操作として予め定めた操作内容を検出する表示範囲変更操作検出手段１０２と、垂直方向の操作を検出する垂直方向操作検出手段１０４と、複数のページの一覧の一部を表示し、垂直方向の操作の量に基づいて一部の範囲を変更するページ一覧表示手段１０３と、水平方向の操作を検出する水平方向操作検出手段１０５と、水平方向の操作の量に基づいて複数のページの一覧の一部からページを選択して、当該ページに含まれる文書の一覧を表示範囲として算出する表示範囲算出手段１０６とを有する。【選択図】図１
2014044616.tif 000002
【特許請求の範囲】
【請求項１】
コンピュータを、
複数のページからなる文書の一覧表示のうちの一部のページを表示する文書一覧表示手段と、
前記文書の一覧表示のページ変更を開始する操作として予め定めた操作内容を検出する操作検出手段と、
前記操作検出手段がページ変更を開始する操作を検出した場合に、第１の操作を検出する第１の操作検出手段と、
前記操作検出手段がページ変更を開始する操作を検出した場合に前記複数のページの一覧の一部を表示し、前記第１の操作検出手段が検出した前記第１の操作の量に基づいて前記複数のページの一覧の前記一部の範囲を変更するページ一覧表示手段と、
前記操作検出手段がページ変更を開始する操作を検出した場合に、第２の操作を検出する第２の操作検出手段と、
前記第２の操作検出手段が検出した前記第２の操作の量に基づいて前記ページ一覧表示手段が表示した前記複数のページの一覧の一部からページを選択して、当該ページに含まれる文書の一覧を表示範囲として算出する表示範囲算出手段として機能させるための文書表示プログラム。
【請求項２】
前記文書一覧表示手段は、前記文書の一覧表示のうちの一部のページとともにトリガアイコンを表示し、
前記操作検出手段は、前記予め定めた操作内容として前記トリガアイコンに対する操作に基づいて前記文書の一覧表示のページ変更を開始する操作を検出する請求項１に記載の文書表示プログラム。
【請求項３】
複数のページからなる文書の一覧表示のうちの一部のページを表示する文書一覧表示手段と、
前記文書の一覧表示のページ変更を開始する操作として予め定めた操作内容を検出する操作検出手段と、
前記操作検出手段がページ変更を開始する操作を検出した場合に、第１の操作を検出する第１の操作検出手段と、
前記操作検出手段がページ変更を開始する操作を検出した場合に前記複数のページの一覧の一部を表示し、前記第１の操作検出手段が検出した前記第１の操作の量に基づいて前記複数のページの一覧の前記一部の範囲を変更するページ一覧表示手段と、
前記操作検出手段がページ変更を開始する操作を検出した場合に、第２の操作を検出する第２の操作検出手段と、
前記第２の操作検出手段が検出した前記第２の操作の量に基づいて前記ページ一覧表示手段が表示した前記複数のページの一覧の一部からページを選択して、当該ページに含まれる文書の一覧を表示範囲として算出する表示範囲算出手段とを有する情報処理装置。
【発明の詳細な説明】
【技術分野】
【０００１】
本発明は、文書表示プログラム及び情報処理装置に関する。
【背景技術】
【０００２】
従来の技術として、文書の表示位置を微調整するためのスライダを表示する文書表示システムが提案されている（例えば、特許文献１参照）。
【０００３】
特許文献１に開示された文書表示システムは、文書の一覧の一部が表示画面に表示されている際に、表示されている領域を文書内の他の領域へと移動するための操作部としてスライダを表示するとともに、当該スライダの所定の範囲を拡大した台形領域をさらに表示して、当該台形領域において上底から下底へ近づくにつれて拡大率を大きくすることで、台形領域内の垂直方向の位置に応じて拡大率が指定され、水平方向の位置に応じて指定された拡大率に応じて表示されている領域の移動距離が指定される。
【先行技術文献】
【特許文献】
【０００４】
【特許文献１】特開２０１１−１１３４０９号公報
【発明の概要】
【発明が解決しようとする課題】
【０００５】
本発明の目的は、文書の一覧の一部が表示画面に表示されている際に、表示されている領域の表示位置を指定するための操作部の表示に必要な領域を、従来に比べて、減少する文書表示プログラム及び情報処理装置を提供することにある。
【課題を解決するための手段】
【０００６】
本発明の一態様は、上記目的を達成するため、以下の文書表示プログラム及び情報処理装置を提供する。
【０００７】
［１］コンピュータを、
複数のページからなる文書の一覧表示のうちの一部のページを表示する文書一覧表示手段と、
前記文書の一覧表示のページ変更を開始する操作として予め定めた操作内容を検出する操作検出手段と、
前記操作検出手段がページ変更を開始する操作を検出した場合に、第１の操作を検出する第１の操作検出手段と、
前記操作検出手段がページ変更を開始する操作を検出した場合に前記複数のページの一覧の一部を表示し、前記第１の操作検出手段が検出した前記第１の操作の量に基づいて前記複数のページの一覧の前記一部の範囲を変更するページ一覧表示手段と、
前記操作検出手段がページ変更を開始する操作を検出した場合に、第２の操作を検出する第２の操作検出手段と、
前記第２の操作検出手段が検出した前記第２の操作の量に基づいて前記ページ一覧表示手段が表示した前記複数のページの一覧の一部からページを選択して、当該ページに含まれる文書の一覧を表示範囲として算出する表示範囲算出手段として機能させるための文書表示プログラム。
【０００８】
［２］前記文書一覧表示手段は、前記文書の一覧表示のうちの一部のページとともにトリガアイコンを表示し、
前記操作検出手段は、前記予め定めた操作内容として前記トリガアイコンに対する操作に基づいて前記文書の一覧表示のページ変更を開始する操作を検出する前記[１]に記載の文書表示プログラム。
【０００９】
［３］複数のページからなる文書の一覧表示のうちの一部のページを表示する文書一覧表示手段と、
前記文書の一覧表示のページ変更を開始する操作として予め定めた操作内容を検出する操作検出手段と、
前記操作検出手段がページ変更を開始する操作を検出した場合に、第１の操作を検出する第１の操作検出手段と、
前記操作検出手段がページ変更を開始する操作を検出した場合に前記複数のページの一覧の一部を表示し、前記第１の操作検出手段が検出した前記第１の操作の量に基づいて前記複数のページの一覧の前記一部の範囲を変更するページ一覧表示手段と、
前記操作検出手段がページ変更を開始する操作を検出した場合に、第２の操作を検出する第２の操作検出手段と、
前記第２の操作検出手段が検出した前記第２の操作の量に基づいて前記ページ一覧表示手段が表示した前記複数のページの一覧の一部からページを選択して、当該ページに含まれる文書の一覧を表示範囲として算出する表示範囲算出手段とを有する情報処理装置。
【発明の効果】
【００１０】
請求項１又は３に係る発明によれば、文書の一覧の一部が表示画面に表示されている際に、表示されている領域の表示位置を指定するための操作部の表示に必要な領域を、従来に比べて、減少することができる。
【００１１】
請求項２に係る発明によれば、トリガアイコンを表示した場合に、表示されている領域の表示位置を指定するための操作部の表示を表示することができる。
【図面の簡単な説明】
【００１２】
【図１】図１は、本発明の実施の形態に係る文書表示システムの構成の一例を示すブロック図である。
【図２】図２は、端末の構成の一例を示すブロック図である。
【図３】図３は、文書管理サーバの構成の一例を示すブロック図である。
【図４】図４は、文書情報と文書一覧情報との関係を示す概略図である。
【図５】図５（ａ）〜（ｆ）は、一覧表示画面の構成の一例を示す概略図である。
【図６】図６は、文書表示システムの動作の一例を示すフローチャートである。
【図７】図７は、端末の表示範囲の変更操作の受付動作及び表示範囲の算出動作の一例を示すフローチャートである。
【発明を実施するための形態】
【００１３】
［実施の形態］
（文書表示システムの構成）
図１は、本発明の実施の形態に係る文書表示システムの構成の一例を示す概略図である。
【００１４】
この文書表示システム４は、端末１、文書管理サーバ２等を有し、ネットワーク３で各装置を互いに通信可能に接続する。
【００１５】
端末１は、一例として無線通信網を介して文書管理サーバ２と通信するものであり、操作入力用のタッチパネル等の操作部と、タッチパネル下に設けられた液晶ディスプレイ等の表示部と、ＣＰＵ（Ｃｅｎｔｒａｌ  Ｐｒｏｃｅｓｓｉｎｇ  Ｕｎｉｔ）や不揮発性メモリ等の電子部品を有する制御部とを備える。
【００１６】
端末１は、文書管理サーバ２に文書管理サーバ２の管理する文書情報の一覧を送信するよう要求し、文書管理サーバ２から文書情報の一覧を受信すると表示部に表示する。その後、利用者から一覧の表示範囲の変更のための操作を受け付けると、その操作内容に基づいた要求を文書管理サーバ２に送信する。さらに、端末１は、文書管理サーバ２から要求に対する応答として表示範囲の変更された文書情報の一覧を受信し、表示部に表示するものである。
【００１７】
また、端末１は、文書情報の一覧の中からある文書情報を選択する操作を受け付けると、操作内容に基づいた要求を文書管理サーバ２に送信する。端末１は、文書管理サーバ２が要求に応じ、文書管理サーバ２から文書情報を受信すると、当該情報を表示部に表示する。
【００１８】
なお、端末１は、例えば、パーソナルコンピュータであり、その他にＰＤＡ（Ｐｅｒｓｏｎａｌ  Ｄｉｇｉｔａｌ  Ａｓｓｉｓｔａｎｔ）、携帯電話機等を用いることもできる。また、端末１は、同図では１台を示すが、複数台でもよい。
【００１９】
文書管理サーバ２は、情報を処理するための機能を備えたＣＰＵや記憶部等の電子部品を備える情報処理装置であり、端末１の要求に応じて文書情報の一覧及び文書情報を送信するものである。
【００２０】
ネットワーク３は、インターネット、ＬＡＮ（Ｌｏｃａｌ  Ａｒｅａ  Ｎｅｔｗｏｒｋ）等の通信網であり、有線、無線は問わない。
【００２１】
（端末の構成）
図２は、端末１の構成の一例を示すブロック図である。
【００２２】
端末１は、ＣＰＵ等から構成され各部を制御するとともに各種のプログラムを実行する制御部１０と、フラッシュメモリ等の記録媒体から構成され情報を記憶する記憶装置の一例としての記憶部１１と、ＬＣＤ（Ｌｉｑｕｉｄ  Ｃｒｙｓｔａｌ  Ｄｉｓｐｌａｙ）等の表示部１２と、表示部１２に重ねて配置されたタッチパネルからなる操作部１３と、ネットワーク３を介して外部と通信する通信部１４とを備える。
【００２３】
制御部１０は、記憶部１１の文書表示プログラム１１０を実行することで、文書一覧情報要求手段１００、文書一覧情報表示手段１０１、表示範囲変更操作検出手段１０２、垂直方向操作検出手段１０４、水平方向操作検出手段１０５、表示範囲算出手段１０６、表示範囲送信手段１０７、文書情報要求手段１０８及び文書情報表示手段１０９等として機能する。
【００２４】
文書一覧情報要求手段１００は、文書管理サーバ２に対して取得可能な文書情報の一覧を表示するための文書一覧情報１１１を要求する。
【００２５】
文書一覧情報表示手段１０１は、文書一覧情報要求手段１００が要求した文書一覧情報１１１を受信して文書情報の一覧を表示部１２に表示する。
【００２６】
表示範囲変更操作検出手段１０２は、文書情報の一覧を表示している状態において、表示範囲を変更するための操作がなされた場合に当該操作を検出する。具体的には、後述するトリガアイコン１２０ｃ（図５）に対する操作を検出する。
【００２７】
ページ一覧表示手段１０３は、表示範囲変更操作検出手段１０２が操作を検出すると、文書情報の一覧が複数のページに渡る場合に、当該複数のページの一覧を表示する。
【００２８】
垂直方向操作検出手段１０４は、表示範囲変更操作検出手段１０２が操作を検出した後に、第１の操作として、操作部１３において垂直方向の操作がなされた場合に当該操作を検出する。
【００２９】
水平方向操作検出手段１０５は、表示範囲変更操作検出手段１０２が操作を検出した後に、第２の操作として、操作部１３において水平方向の操作がなされた場合に当該操作を検出する。
【００３０】
表示範囲算出手段１０６は、垂直方向操作検出手段１０４が検出した垂直方向の操作の量と、水平方向操作検出手段１０５が検出した水平方向の操作の量と、に基づいて変更された表示範囲を算出する。
【００３１】
表示範囲送信手段１０７は、表示範囲算出手段１０６が算出した表示範囲を文書管理サーバ２に送信する。
【００３２】
文書情報要求手段１０８は、表示された文書情報の一覧の中から選択された文書情報を文書管理サーバ２に要求する。
【００３３】
文書情報表示手段１０９は、文書情報要求手段１０８が要求した文書情報１１２を受信して表示部１２に表示する。
【００３４】
記憶部１１は、文書表示プログラム１１０、文書一覧情報１１１及び文書情報１１２等を格納する。
【００３５】
文書表示プログラム１１０は、制御部１０を上記した各手段１００〜１０９として動作させるプログラムである。
【００３６】
（文書管理サーバの構成）
図３は、文書管理サーバ２の構成の一例を示すブロック図である。
【００３７】
この文書管理サーバ２は、ＣＰＵ等から構成され各部を制御するとともに各種のプログラムを実行する制御部２０と、ＨＤＤやフラッシュメモリ等の記録媒体から構成され情報を記憶する記憶装置の一例としての記憶部２１と、ネットワーク３を介して外部と通信する通信部２２とを備える。
【００３８】
制御部２０は、後述する文書管理プログラム２１０を実行することで、要求受付手段２００、文書一覧情報生成手段２０１、文書一覧情報送信手段２０２及び文書情報送信手段２０３等として機能する。
【００３９】
要求受付手段２００は、端末１から文書一覧情報２１１若しくは文書情報２１２の送信要求又は文書一覧情報２１１の表示範囲の変更要求を受け付ける。
【００４０】
文書一覧情報生成手段２０１は、要求受付手段２００が文書一覧情報２１１の表示範囲の変更要求を受け付けた場合に、当該表示範囲に基づいて文書一覧情報２１１を生成する。生成方法については後述する「（２）表示範囲変更動作」にて詳細に説明する。
【００４１】
文書一覧情報送信手段２０２は、文書一覧情報生成手段２０１が生成した文書一覧情報２１１を端末１に送信する。
【００４２】
文書情報送信手段２０３は、要求受付手段２００が文書情報２１２の送信要求を受け付けた場合に、要求された文書情報２１２を送信する。
【００４３】
記憶部２１は、文書管理プログラム２１０、文書情報２１２及び文書一覧情報２１１等を格納する。
【００４４】
文書管理プログラム２１０は、制御部２０を上記した各手段２００〜２０６として動作させるプログラムである。
【００４５】
（文書表示システムの動作）
次に、本実施の形態の作用を、（１）基本動作、（２）表示範囲変更動作に分けて説明する。図６は、文書表示システムの動作の一例を示すフローチャートである。
【００４６】
（１）基本動作
まず、端末１の利用者は文書管理サーバ２にアクセスするために端末１を操作する。
【００４７】
端末１は、利用者の操作に応じて通信部１４及びネットワーク３を介して文書管理サーバ２と通信する。文書管理サーバ２は、端末１と認証動作等を経て通信を確立する。
【００４８】
次に、端末１の文書一覧情報要求手段１００は、文書管理サーバ２に対して取得可能な文書情報の一覧を表示するための文書一覧情報１１１を要求する（Ｓ１０）。
【００４９】
文書管理サーバ２の文書一覧情報生成手段２０１は、当該要求を受け付けて（Ｓ２０）、以下の図４に示すように、要求に応じて文書一覧情報１１１を生成する（Ｓ２１）。
【００５０】
図４は、文書情報２１２と文書一覧情報２１１との関係を示す概略図である。
【００５１】
ここで、文書情報２１２は、複数の文書情報２１２１〜２１１２０、…２１１ｉ〜２１１ｉ＋１９、…を含むものである。
【００５２】
また、文書一覧情報２１１ａは、表示装置としての端末１の表示画面の大きさ等に合わせて文書一覧情報生成手段２０１によって生成されるものであり、２０の文書情報２１２１〜２１１２０をリスト表示したものである。また、文書一覧情報２１１ｂは、表示装置としての端末１の表示画面の大きさ等に合わせて文書一覧情報生成手段２０１によって生成されるものであり、２０の２１１ｉ〜２１１ｉ＋１９をリスト表示したものである。
【００５３】
ここで、文書一覧情報生成手段２０１が端末１の要求に応じて生成する文書一覧情報は、文書一覧情報２１１ａでもよいし、文書一覧情報２１１ｂの「ｉ」に任意の数字を入れたものでもよいが、ここではデフォルト値の一例として、「ｉ＝４１」の場合について説明する。
【００５４】
次に、文書一覧情報送信手段２０２は、文書一覧情報生成手段２０１が生成した文書一覧情報１１１を端末１に送信する（Ｓ２２）。
【００５５】
次に、端末１の文書一覧情報表示手段１０１は、文書一覧情報要求手段１００が要求した文書一覧情報２１１ｂを文書管理サーバ２から受信して（Ｓ１１）、記憶部２１に文書一覧情報１１１として記憶し、以下の図５（ａ）に示すように、文書情報の一覧を表示部１２に表示する（Ｓ１２）。
【００５６】
図５（ａ）〜（ｆ）は、一覧表示画面の構成の一例を示す概略図である。
【００５７】
端末１の表示部１２には、一覧表示画面１２０が表示される。一覧表示画面１２０は、表示中のページ数「３ページ」を示すページ表示１２０ａと、文書情報の一覧を示す文書一覧表示１２０ｂとを有する。
【００５８】
次に、端末１の利用者は、文書一覧表示１２０ｂを下にスクロールするよう操作部１３を操作する。
【００５９】
文書一覧情報表示手段１０１は、利用者の操作に応じて文書一覧表示１２０ｂを下にスクロールし、スクロールが続けられると、図５（ｂ）に示すように、文書一覧表示１２０ｂの下端を表示し、さらにトリガアイコン１２０ｃを表示する。
【００６０】
利用者は、当該トリガアイコン１２０ｃを用いて、表示中のページ数を「３ページ」以外のページに変更することができる（表示範囲の変更）。以下に表示範囲の変更操作を受け付けて（Ｓ１３）、表示範囲を算出する（Ｓ１４）際の端末１の動作について説明する。
【００６１】
（２）表示範囲変更動作
図７は、端末１の表示範囲の変更操作の受付動作及び表示範囲の算出動作の一例を示すフローチャートである。
【００６２】
図５（ｂ）の状態において、他のページの文書情報の一覧表示を望む利用者は、トリガアイコン１２０ｃが表示された状態で、図５（ｃ）に示すように、操作部１３上の接触点１３０ａに触れて垂直方向に距離ｙ１だけ接触点１３０ｂまで移動する。
【００６３】
表示範囲変更操作検出手段１０２は、上記したトリガアイコン１２０ｃが表示されている場合（Ｓ１３０；Ｙｅｓ）に垂直方向への移動操作（下にスクロールする操作）を検出する（Ｓ１３１；Ｙｅｓ）と、図５（ｃ）に示すように、ページ一覧表示手段１０３は、ページ一覧表示１２０ｄ及び選択枠１２０ｅを表示する（Ｓ１３２）。
【００６４】
なお、ステップＳ１３０においてトリガアイコン１２０ｃが表示されており、かつトリガアイコン１２０ｃに対する操作が行われた場合にページ一覧表示１２０ｄを表示してもよい。また、トリガアイコン１２０ｃを表示せずに、表示中のページの下端又は上端までスクロール操作が行われ、さらに下方向又は上方向にスクロール操作が行われた場合にページ一覧表示１２０ｄを表示してもよい。
【００６５】
また、上記ステップＳ１３０及びＳ１３１の操作に該当しない場合は（Ｓ１３０；Ｎｏ、Ｓ１３１；Ｎｏ）、ページ一覧表示手段１０３はページ一覧表示１２０ｄを表示せずに、同一ページ内でのスクロール操作として認識し、文書一覧情報表示手段１０１が文書情報の一覧の表示をスクロールする（Ｓ１３３）。
【００６６】
表示範囲変更操作検出手段１０２が上記操作を検出した後に、垂直方向操作検出手段１０４は、操作部１３において垂直方向の操作がなされた場合に当該操作の移動距離ｙ１（図５（ｃ））やｙ２（図５（ｄ））を検出する（Ｓ１４０）。
【００６７】
ページ一覧表示手段１０３は、垂直方向操作検出手段１０４が検出した垂直方向の操作の移動距離ｙ１（図５（ｃ））やｙ２（図５（ｄ））に基づいてページ一覧表示１２０ｄに表示するページの範囲を変更する。つまり、一例として、垂直方向の移動距離が大きいほどページ一覧表示１２０ｄに表示するページ数を増加させる（Ｓ１４２）。なお、移動距離の他、移動速度、運動量、角運動量等の他の量に基づいてページ数の増加具合を変更してもよい。後述する水平方向の操作の量についても同様である。
【００６８】
また、水平方向操作検出手段１０５は、操作部１３において水平方向の操作がなされた場合に当該操作の移動距離ｘ１（図５（ｅ））を検出する（Ｓ１４１）。
【００６９】
ページ一覧表示手段１０３は、水平方向操作検出手段１０５が検出した水平方向の移動距離ｘ１に基づいてページ一覧表示１２０ｄに対する選択枠１２０ｅの位置を変更する（Ｓ１４２）。また、ページ一覧表示手段１０３は、選択枠１２０ｅが中央から移動した場合に、選択枠１２０ｅに含まれるページの範囲を範囲表示１２０ｆとして表示する。
【００７０】
利用者は、所望の位置まで選択枠１２０ｅを移動させると、接触点１３０ｄにおいて操作部１３から指を離す。
【００７１】
表示範囲算出手段１０６は、利用者の操作部１３に対する接触が解除されたことを検出すると、垂直方向操作検出手段１０４が検出した垂直方向の操作と、水平方向操作検出手段１０５が検出した水平方向の操作と、に基づいて変更された表示範囲を算出する（Ｓ１４２）。図５（ｅ）の場合であれば、表示範囲は文書情報６６〜８５が含まれる範囲（ページ４の一部及びページ５の一部）である。
【００７２】
次に、表示範囲送信手段１０７は、表示範囲算出手段１０６が算出した表示範囲を文書管理サーバ２に送信する（Ｓ１５）。
【００７３】
文書管理サーバ２の文書一覧情報生成手段２０１は、端末１の表示範囲送信手段１０７から表示範囲を受信し（Ｓ２３）、受信した表示範囲に応じて文書一覧情報１１１を生成する（Ｓ２４）次に、文書管理サーバ２は、生成した文書一覧情報１１１を送信する（Ｓ２５）。
【００７４】
次に、端末１の文書一覧情報表示手段１０１は、表示範囲（ページ）の変更された文書一覧情報を文書管理サーバ２から受信して（Ｓ１６）、記憶部２１に文書一覧情報１１１として記憶し、図５（ｆ）に示すように、文書情報の一覧を表示部１２に表示する（Ｓ１７）。
【００７５】
さらに、利用者は、表示部１２の一覧表示画面１２０の文書一覧表示１２０ｂの文書から所望の文書を選択する。
【００７６】
端末１の文書情報要求手段１０８は、利用者によって選択された文書情報、例えば「文書７３」を文書管理サーバ２に要求する。
【００７７】
次に、文書管理サーバ２の文書情報送信手段２０３は、要求受付手段２００が文書情報「文書７３」の要求を受け付けた場合、文書情報２１２のうち要求された「文書７３」に該当する情報を送信する。
【００７８】
次に、端末１の文書情報表示手段１０９は、文書情報要求手段１０８が要求した文書情報「文書７３」を受信して表示部１２に表示する。
【００７９】
（実施の形態の効果）
上記した実施の形態によると、予め定めた操作内容としてトリガアイコン１２０ｃが表示された状態でスクロール操作がなされた場合に、当該操作を文書の一覧表示のページ変更を開始する操作として検出し、ページ一覧表示１２０ｄを表示し、当該ページ一覧表示１２０ｄに対する操作を垂直方向及び水平方向でそれぞれ検出して表示するページを選択するようにしたため、ページ一覧表示１２０ｄの表示に必要な領域を、スライダとともにスライダの所定の範囲を拡大した台形領域を表示していた従来に比べて、減少することができる。
【００８０】
［他の実施の形態］
なお、本発明は、上記実施の形態に限定されず、本発明の趣旨を逸脱しない範囲で種々な変形が可能である。
【００８１】
上記実施の形態では制御部１０及び２０内の各手段１００−１０９及び２００−２０３の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００８２】
１     端末
２     文書管理サーバ
３     ネットワーク
４     文書表示システム
１０   制御部
１１   記憶部
１２   表示部
１３   操作部
１４   通信部
２０   制御部
２１   記憶部
２２   通信部
１００ 文書一覧情報要求手段
１０１ 文書一覧情報表示手段
１０２ 表示範囲変更操作検出手段
１０３ ページ一覧表示手段
１０４ 垂直方向操作検出手段
１０５ 水平方向操作検出手段
１０６ 表示範囲算出手段
１０７ 表示範囲送信手段
１０８ 文書情報要求手段
１０９ 文書情報表示手段
１１０ 文書表示プログラム
１１１ 文書一覧情報
１１２ 文書情報
１２０ 一覧表示画面
１２０ａ      ページ表示
１２０ｂ      文書一覧表示
１２０ｃ      トリガアイコン
１２０ｄ      ページ一覧表示
１２０ｅ      選択枠
１２０ｆ      範囲表示
１３０ａ−１３０ｄ   接触点
２００ 要求受付手段
２０１ 文書一覧情報生成手段
２０２ 文書一覧情報送信手段
２０３ 文書情報送信手段
２１０ 文書表示プログラム
２１１ 文書一覧情報
２１２ 文書情報
【図１】
2014044616.tif 000003
【図２】
2014044616.tif 000004
【図３】
2014044616.tif 000005
【図４】
2014044616.tif 000006
【図５】
2014044616.tif 000007
【図６】
2014044616.tif 000008
【図７】
2014044616.tif 000009